(57)【要約】【課題】土間を有した建物において、水の気化により屋内空間の空調を好適に行う。【解決手段】建物１０はリビング１１と土間１２とを屋内に有しており、土間１２はリビング１１と外壁１４との間に配置されている。土間１２とリビング１１との境界部には段差部３１が設けられており、土間１２と庭１５とは外壁１４により仕切られている。土間１２には、水を流すことが可能な溝部３９が設けられている。溝部３９は上方に向けて開放されており、土間床面２８から下方へ凹んでいる。溝部３９には給水溝４１を介して給水装置が接続されているとともに、排出溝を介して浄化装置が接続されている。給水装置から供給された水が溝部３９に流されることにより、土間床面２８近傍の空気の温度や湿度が調整される。そして、土間床面２８近傍の空気がリビング１１や土間１２に行き渡ることにより、それらリビング１１や土間１２全体の空調が行われる。【選択図】図１
2010138594.tif 000002
【特許請求の範囲】
【請求項１】
土間を屋内に有した建物であって、
土間床面よりも下方に設けられているとともに該土間床面から上方へ開放され、さらに水が溜まる又は流れる保水部と、
前記保水部に水を供給する給水装置と
を備えていることを特徴とする建物。
【請求項２】
前記保水部は前記土間床面に形成された溝部であることを特徴とする請求項１に記載の建物。
【請求項３】
前記給水装置から前記保水部へ供給された水により屋内空間の空調を行うべく、該屋内空間の環境に合わせて前記給水装置を制御する制御手段を備えていることを特徴とする請求項１又は２に記載の建物。
【請求項４】
屋内の温度を検出する温度検出手段を備えており、
前記制御手段は、前記温度検出手段により検出された温度に応じて前記給水装置からの給水の有無又は給水量の少なくとも一方を制御することを特徴とする請求項３に記載の建物。
【請求項５】
屋内の湿度を検出する湿度検出手段を備えており、
前記制御手段は、前記湿度検出手段により検出された湿度に応じて前記給水装置からの給水の有無又は給水量の少なくとも一方を制御することを特徴とする請求項３又は４に記載の建物。
【請求項６】
前記屋内空間における前記土間床面の近傍に空気を送る送風装置を備えていることを特徴とする請求項１乃至５のいずれか１項に記載の建物。
【請求項７】
前記屋内空間における前記土間床面近傍の空間と屋外空間とを連通する通気路と、
前記通気路の開閉を行う開閉装置と
を備えていることを特徴とする請求項１乃至６のいずれか１項に記載の建物。
【請求項８】
前記保水部に存在している水又は前記給水装置により前記保水部へ供給される水を加熱する加熱装置を備えていることを特徴とする請求項１乃至７のいずれか１項に記載の建物。
【発明の詳細な説明】
【技術分野】
【０００１】
本発明は、土間を屋内に有した建物に関するものである。
【背景技術】
【０００２】
住宅等の建物に空調装置としてのエアコンが設けられている場合、エアコンが運転されることで屋内空間の温度や湿度の調整が行われる。ところが、エアコンによる空調では省エネルギ効果が低いと考えられる。そこで、例えば特許文献１には、水の貯留が可能な庭が建物に隣接して設けられており、外壁に形成された窓等の開口部により庭空間と屋内空間とが連通されている構成が開示されている。この構成では、庭の空気の温度が水の気化熱により低下し、その空気が涼気として開口部から屋内空間へ流入すると屋内空間の温度が低下する。この場合、いわゆる打ち水の効果を得ることができるため、省エネルギ化を図ることができる。
【特許文献１】特開２００７−１６２３８８号公報
【発明の開示】
【発明が解決しようとする課題】
【０００３】
しかしながら、上記特許文献１に開示された構成では、窓等の開口部がサッシ戸等により閉鎖されていると、庭の空気は屋内空間へ流れ込まないため、屋内空間の温度調整を行うことができない。さらに、庭の空気の温度は、外気温度や風の強さといった屋外環境への依存度が高いため、屋内温度を適宜調整することが困難になると考えられる。したがって、水の気化により屋内空間の空調を行う構成に関して改善の余地がある。
【０００４】
本発明は、土間を有した建物において、水の気化により屋内空間の空調を好適に行うことを主たる目的とする。
【課題を解決するための手段】
【０００５】
上記課題を解決するために、第１の発明は、土間を屋内に有した建物であって、土間床面よりも下方に設けられているとともに該土間床面から上方へ開放され、さらに水が溜まる又は流れる保水部と、前記保水部に水を供給する給水装置とを備えていることを特徴とする。
【０００６】
第１の発明によれば、保水部に水が存在している場合、その水が気化することで土間床面近傍の空気の温度や湿度が変化し、その空気が屋内空間内にて拡がることによりその屋内空間の温度や湿度が変化する。つまり、保水部の水により屋内空間の空調が行われる。この場合、例えばエアコンにより屋内空間の空調を行っている場合に比べて、省エネルギ効果を高めることができる。しかも、例えば屋外の地面に打ち水などを行って涼気を屋内空間に取り込む場合とは異なり、屋外へ通じる開口部を開放する必要がなく、屋内空間の空調を行うに際して外気の気温や湿度に依存してしまうこともない。以上の結果、水の気化により屋内空間の空調を好適に行うことができる。
【０００７】
なお、土間はリビング等の居室空間に隣接して設けられ、土間と屋外とを仕切る外壁に掃き出し窓等の出入口が設けられていることが好ましい。この場合、居住者は居室空間と屋外との間にて土間を利用することができるため、屋外から居室空間への物品の出し入れ等を容易に行うことができる。しかも、玄関等の土間に保水部が形成されている構成に比べて、土間近傍の空気が居室空間に行き渡りやすいため、居室空間の空調を効率良く行うことができる。以上の結果、土間の使い勝手を良くしつつ、屋内空間の空調効率を高めることができる。
【０００８】
第２の発明では、前記保水部は前記土間床面に形成された溝部である。
【０００９】
第２の発明によれば、溝部により保水部が形成されているため、保水部の略全体が上方へ開放されている。この場合、仮に溝部に石やゴミといった異物が入ってしまってもその異物を溝部の開放側から取り除くことが容易であるため、保水部に対するメンテナンス作業が容易となる。これに対して、例えば周面に孔が複数形成された水道管のように保水部が部分的に上方へ開放されている構成では、保水部に詰まった異物を発見したり取り除いたりすることが困難になってしまう。したがって、溝部にて保水部を形成することは保水部の水により空調を行う空調システムに適している。
【００１０】
第３の発明では、前記給水装置から前記保水部へ供給された水により屋内空間の空調を行うべく、該屋内空間の環境に合わせて前記給水装置を制御する制御手段を備えている。
【００１１】
第３の発明によれば、屋内空間にとって空調が必要な場合には給水装置から保水部へ水を供給することができるとともに、空調が必要でない場合には保水部への水の供給を停止することができる。例えば、屋内空間の湿度が低い場合には保水部へ水を供給することで屋内空間に湿気を付与することが可能となり、屋内空間の湿度が高い場合には保水部への水の供給を停止することで屋内空間に湿気を過剰に付与してしまうことを回避できる。つまり、屋内空間においてその環境に合わせて保水部の水により空調を行うことができる。
【００１２】
なお、屋内空間の環境に合わせて前記給水装置を制御する構成としては、屋内空間の温度を検出する屋内温度検出手段や屋内空間の湿度を検出する屋内湿度検出手段などを備え、前記制御手段がそれら検出手段の検出結果に基づいて前記給水装置を制御する構成が挙げられる。
【００１３】
また、前記制御手段は、保水部において水面が土間床面より所定高さだけ低くなるように前記給水装置からの給水量を調整することが好ましい。この場合、土間にいる人の足や土間床面に置かれた物品が濡れることを回避できるため、土間において保水部の水により空調を行う構成を実現しつつ、土間の使い勝手が悪くなることを回避できる。
【００１４】
第４の発明では、屋内の温度を検出する温度検出手段を備えており、前記制御手段は、前記温度検出手段により検出された温度に応じて前記給水装置からの給水の有無又は給水量の少なくとも一方を制御する。
【００１５】
第４の発明によれば、屋内の温度に合わせて保水部の水により屋内空間の温度調整が行われる。例えば、屋内の温度が所定温度以上である場合に保水部に水が供給されたり保水部への給水量が増やされたりすることにより、屋内の温度を低下させることができる。特に、夏季に冷房効果を得ることが容易となる。
【００１６】
第５の発明では、屋内の湿度を検出する湿度検出手段を備えており、前記制御手段は、前記湿度検出手段により検出された湿度に応じて前記給水装置からの給水の有無又は給水量の少なくとも一方を制御する。
【００１７】
第５の発明によれば、屋内の湿度に合わせて保水部の水により屋内空間の湿度調整が行われる。例えば、屋内の湿度が所定湿度以下である場合に保水部に水が供給されたり保水部への給水量が増やされたりすることにより、屋内の湿度を上昇させることができる。特に、冬季に加湿効果を得ることが容易となる。
【００１８】
第６の発明では、前記屋内空間における前記土間床面の近傍に空気を送る送風装置を備えている。
【００１９】
第６の発明によれば、送風装置から空気が送られることにより、土間床面の近傍において保水部の水によって温度や湿度が変化した空気を屋内空間の広範囲に強制的に行き渡らせることが可能となる。つまり、保水部の水により屋内空間を全体的に且つ効率良く空調することが可能となる。
【００２０】
なお、前記土間床面の近傍に空気を送る構成としては、送風装置が土間床面の近傍に向けて直接空気を吹き出す構成や、送風装置が土間空間に対流を生じさせるように空気を吹き出す構成などが挙げられる。
【００２１】
また、屋内空間の環境に合わせて前記送風装置を制御する制御手段を備えていることが好ましい。この場合、屋内空間において空気の流れが必要な場合に送風装置を動作させることができるとともに、空気の流れが必要ない場合に送風装置の動作を停止させることができる。例えば、土間に人がいない場合に送風装置を動作させ、土間に人がいる場合に送風装置を動作させない。これにより、屋内空間を全体的に且つ効率良く空調しつつ、風により居住者に不快感を与えてしまうことを回避できる。
【００２２】
第７の発明では、前記屋内空間における前記土間床面近傍の空間と屋外空間とを連通する通気路と、前記通気路の開閉を行う開閉装置とを備えている。
【００２３】
第７の発明によれば、通気路が開放されており、その通気路を通じて外気が屋内空間に流れ込んだ場合、土間床面の近傍において保水部の水によって温度や湿度が変化した空気を屋内空間の広範囲に行き渡らせることが可能となる。つまり、保水部の水により屋内空間を全体的に且つ効率良く空調することが可能となる。しかも、この場合、送風装置等により強制的に風を送る構成に比べて省エネルギ効果を高めることができる。
【００２４】
なお、前記土間における土間床面近傍の土間空間と屋外空間とを連通する通気路としては、土間と屋外とを仕切る外壁に形成された通気口や、土間床面近傍から屋外へ通じる通気ダクトなどが挙げられる。
【００２５】
また、屋内空間の環境に合わせて前記開閉装置を制御する制御手段を備えていることが好ましい。この場合、屋内空間において空気の流れが必要な場合に通気路を開放することができるとともに、空気の流れが必要ない場合に通気路を閉鎖することができる。例えば、土間に人がいない場合に通気路を開放させ、土間に人がいる場合に通気路を閉鎖させる。これにより、屋内空間を全体的に且つ効率良く空調しつつ、外気により居住者に不快感を与えてしまうことを回避できる。
【００２６】
さらに、外気の温度を検出する外気温度検出手段や、外気の湿度を検出する外気湿度検出手段を備え、前記制御手段は前記外気温度検出手段や前記外気湿度検出手段の検出結果に基づいて前記開閉装置を制御することが好ましい。この場合、外気が屋内空間の空調を行うには適さない温度や湿度である場合は、通気路を閉鎖することにより外気が屋内空間へ流れ込まない。例えば、屋内空間の目標温度と外気の温度との差が所定値より大きい場合は通気路を閉鎖する。この場合、外気の温度に依存せずに屋内空間の温度を調整できるため、温度調整の効率を高めることができる。
【００２７】
第８の発明では、前記保水部に存在している水又は前記給水装置により前記保水部へ供給される水を加熱する加熱装置を備えている。
【００２８】
第８の発明によれば、保水部に湯を溜めたり流したりすることにより、その湯の熱気により屋内空間を暖めることができる。また、湯は水に比べて気化しやすいため屋内空間の加湿を効率良く行うことができる。したがって、保水部の湯により暖房及び加湿をまとめて行うことができる。これは、特に冬季における空調を行う際に有効である。
【００２９】
なお、屋内空間の環境に合わせて前記加熱装置を施御する制御手段を備えていることが好ましい。この場合、特に冬季において、屋内空間を暖めたり加湿したりすることが容易となる。
【発明を実施するための最良の形態】
【００３０】
以下、本発明を具体化した一実施形態を図面に基づいて説明する。本実施形態では、居室空間に隣接して土間が形成された建物について具体化している。図１は建物１０における土間１２周辺の構成を示す斜視図、図２は土間１２の構成を示す概略平面図である。
【００３１】
図１に示すように、住宅等の建物１０は、居室空間としてのリビング１１と、そのリビング１１に隣接した土間１２とを屋内に有している。リビング１１と土間１２との間には仕切壁が設けられておらず、それぞれが有するリビング空間と土間空間とは屋内空間として一体的な空間になっている。リビング１１及び土間１２は外壁１４により屋外空間と仕切られている。土間１２は、リビング１１と外壁１４との間に配置されているとともに、外壁１４を挟んで庭１５と隣り合っている。また、リビング１１は内壁１７により廊下等のその他の屋内空間と仕切られている。
【００３２】
リビング１１においては、床大梁等の上に配置された床根太２１が設けられており、その床根太２１の上に床下地材２２が設けられている。床根太２１は水平方向に延びるように配置された長尺材であり、所定間隔を空けて複数並べて配置されている。床下地材２２は例えば合板やパーティクルボード等により形成された床パネル材であり、水平方向に延びるように配置されている。床下地材２２の上にはフローリング等の床仕上材２３が重なるように設けられており、床仕上材２３の上面によりリビング床面２５が形成されている。
【００３３】
土間１２はコンクリート層２７により平面視略長方形状に形成されており、リビング１１に沿って延びるように配置されている。コンクリート層２７は上面が露出しており、その上面により土間床面２８を形成している。土間床面２８のレベルは、屋外における地面のグランドレベルＧＬと同等になっているとともに、リビング１１におけるリビング床面２５のフロアレベルＦＬより例えば３０ｃｍ程度低くなっている。
【００３４】
リビング１１と土間１２との境界部には段差部３１が形成されており、段差部３１の高さはグランドレベルＧＬとフロアレベルＦＬとのレベル差に相当している。段差部３１には、土間床面２８から起立するように蹴込板３２が設けられており、蹴込板３２は、土間床面２８とリビング床面２５とを接続している。これにより、リビング１１の床下に靴等の物品が入り込まないようになっている。
【００３５】
外壁１４における土間１２と庭１５との間の部分には、掃き出し窓等の出入口３４が形成されている。出入口３４は土間１２を挟んでリビング１１の反対側に配置されており、出入口３４には引き違い式の一対のサッシ戸３５が設けられている。サッシ戸３５はスライド移動することで出入口３４を開閉し、サッシ枠３６とそのサッシ枠３６にはめ込まれているガラス板３７とを有している。
【００３６】
ここで、居住者は、段差部３１を昇降することで土間１２とリビング１１とを行き来することができるとともに、サッシ戸３５をスライド移動させて出入口３４を開放させることにより土間１２と庭１５とを行き来することができる。つまり、居住者は、いちいち玄関を通らなくても庭１５とリビング１１とを直接行き来することができる。しかも、靴等の履物を庭１５に放置することなく土間１２に置くことができる。これにより、居住者が屋内空間を通って玄関から履物を持ち運びするといった手間をなくすことができるとともに、履物が庭１５で盗まれてしまうことを回避できる。また、段差部３１が設けられているため、履物に付着した土や泥等がリビング１１へ入り込むこともなく、リビング１１に収納することが困難な屋外用の道具や物品を土間１２に容易に収納することができる。
【００３７】
土間１２には、水を流すことが可能な保水部としての溝部３９が設けられている。溝部３９は土間１２の長手方向に延びるように直線状に形成されており、土間１２の短手方向に複数並んで形成されている。各溝部３９は互いに離間距離を均一として平行に配置されている。溝部３９は上方に向けて開放されており、横断面において土間床面２８から下方へ弓状に湾曲するように凹んでいる。溝部３９は、その幅が例えば５ｍｍ程度となっており、その深さが１０ｍｍ程度となっている。なお、図においては、溝部３９を見やすくするために実際より大きく図示している。溝部３９の底面は一端が他端よりも深くなるように緩やかに傾斜している。つまり、溝部３９の底面は一端側への下り傾斜となっている。この場合、溝部３９において底面に高低差があるため、浅い方の端部から深い方の端部へ向けて水が流れ易くなっている。
【００３８】
図２に示すように、溝部３９には、底面が浅い方の端部に給水溝４１を介して給水装置４２が接続されており、底面が深い方の端部に排出溝４３を介して浄化装置４４が接続されている。浄化装置４４はフィルタやその他の浄化手段を内蔵しており、溝部３９から排出溝４３を介して流れ込んだ水から土やゴミ等の異物を除去する。浄化装置４４には、給水装置４２に通じる循環用配管４６と排水管４７とが接続されている。浄化装置４４はポンプ等の送水部と、水の供給先を循環用配管４６又は排水管４７に切り替える弁等の切替部とを有しており、送水部及び切替部を駆動させることにより排出溝４３からの水を浄化水として給水装置４２に送ったり、排水として排水管４７に流したりする。なお、排出溝４３からの水を排水として排水管４７に流す場合、その排水が浄化装置４４を通らずに排水管４７に流される構成としてもよい。
【００３９】
給水装置４２には循環用配管４６に加えて水道管４８が接続されている。給水装置４２はポンプ等の送水部と、送水部からの送水量を調整するバルブ等の調整部と、水の供給元を循環用配管４６又は水道管４８に切り替える弁等の切替部とを有しており、送水部や調整部、切替部を駆動させることにより水道水又は浄化水を給水溝４１に供給する。つまり、水道水又は浄化水を溝部３９に供給する。浄化水が溝部３９に供給されている場合、土間１２における排水が再利用されていることになり、節水が実現されている。
【００４０】
給水装置４２は加熱装置としてのヒータ部４９を有している。ヒータ部４９は電熱器等を含んで構成されており、水道水や浄化水を加熱することが可能となっている。つまり、給水溝４１に水だけでなく湯を供給することが可能となっている。
【００４１】
給水溝４１及び排出溝４３は溝部３９と直交して延びるようにそれぞれ配置されており、溝部３９と同様に、上方に向けて開放され且つ横断面において土間床面２８から下方へ弓状に湾曲するように凹んでいる。また、給水溝４１及び排出溝４３は、それぞれの幅が例えば５ｍｍ程度となっており、それぞれの深さが１０ｍｍ程度となっている。給水溝４１は給水装置４２側における端部の底面より反対側の端部の底面の方が深くなるように緩やかに傾斜している。また、給水溝４１は各溝部３９における底面が浅い方の端部に接続されており、その接続部分においては給水溝４１の底面が溝部３９の底面より浅くなっている。したがって、給水装置４２から溝部３９へ水が流れ込みやすくなっている。
【００４２】
排出溝４３は浄化装置４４側における端部の底面が反対側の端部の底面より深くなるように緩やかに傾斜している。また、排出溝４３は各溝部３９における底面が深い方の端部に接続されており、その接続部分においては排出溝４３の底面が溝部３９の底面より深くなっている。したがって、溝部３９から浄化装置４４へ水が流れ込みやすくなっている。
【００４３】
なお、溝部３９、給水溝４１及び排出溝４３は、コンクリート層２７の切断が可能なカッタ装置によりコンクリート層２７の表面付近だけ切られることにより形成されている。つまり、カッタ装置によりコンクリート層２７に入れられた切れ込みとなっている。
【００４４】
図１の説明に戻り、土間１２においては屋内空間に外気を取り込むことが可能な通気路が形成されている。通気路としてはサッシ戸通気口６１及び外壁通気口６２とが設けられており、それら通気口６１，６２はそれぞれ屋内空間と屋外空間とを連通している。サッシ戸通気口６１はサッシ戸３５の下部に配置されており、土間床面２８に沿って延びるように横長の略矩形状に形成されている。なお、サッシ戸通気口６１は、サッシ枠３６の内側におけるガラス板３７の下方に配置されることでサッシ戸３５の下部に配置されている。外壁通気口６２は外壁１４における出入口３４の配置部分とは直交する部分に配置されており、土間床面２８に沿って延びるように横長の略矩形状に形成されている。
【００４５】
サッシ戸通気口６１にはサッシ戸通気口ガラリ６５が嵌め込まれている。サッシ戸通気口ガラリ６５はサッシ戸通気口６１とほぼ同じ大きさ及び形状に形成されている。同様に、外壁通気口６２には外壁通気口ガラリ６６が嵌め込まれている。外壁通気口ガラリ６６は外壁通気口６２とほぼ同じ大きさ及び形状に形成されている。各通気口ガラリ６５，６６は開閉装置として各通気口６１，６２をそれぞれ閉鎖することが可能な構成となっている。
【００４６】
各通気口ガラリ６５，６６について説明する。各通気口ガラリ６５，６６は同じ構成となっているため、ここではサッシ戸通気口ガラリ６５について、図３，図４を参照しつつ説明する。図３はサッシ戸３５の構成を示す正面図、図４はサッシ戸３５の概略縦断面図である。図４においては、（ａ）にスラット７２が閉状態にある場合の図を示し、（ｂ）にスラット７２が開状態にある場合の図を示す。
【００４７】
図３に示すように、サッシ戸通気口ガラリ６５は、略矩形状に形成されたガラリ枠７１を有しており、ガラリ枠７１の内側にはスラット７２が複数設けられている。各スラット７２はそれぞれ横長板状に形成されており、それらスラット７２は上下に並べて配置されている。各スラット７２は支持部７３により回動可能に支持され、回動することで開状態又は閉状態に移行する。各スラット７２の回動軸は水平方向に延びている。サッシ戸通気口ガラリ６５には、モータ等により構成されているサッシ用駆動部７５が設けられており、サッシ用駆動部７５が駆動することで支持部７３が動作し、各スラット７２を回動させる。
【００４８】
図４（ａ）に示すように、スラット７２は閉状態にある場合に鉛直方向に起立しており、上下にて隣り合うスラット７２の間には隙間がない。仮に隙間があってもその隙間は極めて小さくなっている。この場合、サッシ戸通気口ガラリ６５が閉状態にてサッシ戸通気口６１を閉鎖していることになり、土間１２側への外気の流れ込みが規制されている。また、スラット７２は回動することで開状態に移行する。図４（ｂ）に示すように、スラット７２は開状態にある場合に土間１２側への下り傾斜となっており、上下にて隣り合うスラット７２の間には隙間が形成されている。この場合、サッシ戸通気口ガラリ６５が開状態にてサッシ戸通気口６１を開放していることになり、土間１２側への外気の流れ込みが可能となっている。
【００４９】
外壁通気口ガラリ６６は、サッシ戸通気口ガラリ６５と同様の構成となっているが、サッシ用駆動部７５ではなく外壁用駆動部７９（図５参照）を有しており、その外壁用駆動部７９が駆動することで開状態及び閉状態に切り替えられる。外壁通気口ガラリ６６が開状態にある場合、外壁通気口６２から外気が土間１２側へ流れ込むことが可能となり、閉状態にある場合、外壁通気口６２からの外気の流れ込みが規制される。
【００５０】
図１の説明に戻り、リビング１１の床下には、土間床面２８に向けて空気を送り出す送風装置５３が設けられている。送風装置５３はファンを含んで構成されており、駆動部の駆動に伴うファンの回転により空気を送り出す。送風装置５３は蹴込板３２に近接して配置されており、蹴込板３２における送風装置５３と対向する部分には空気を土間１２へ送り出すための送風口５４が形成されている。送風口５４には送風用ガラリ５５が嵌め込まれている。送風用ガラリ５５は複数のフィンを有しており、各フィンは土間床面２８に向けて下り傾斜となっている。この場合、送風用ガラリ５５は、送風装置５３から送り出される風の向きを土間床面２８に向けるとともに、送風口５４を通じてリビング１１の床下に物品等が入り込むことを規制している。
【００５１】
リビング１１と廊下等の他の建物内空間とを仕切る内壁１７には、それらリビング１１と他の建物内空間とを連通する屋内側通気口８２が形成されている。屋内側通気口８２は横長の略矩形状に形成されており、リビング１１の天井に沿って延びるように内壁１７の上部に配置されている。内壁１７には屋内側通気口８２を開閉する開閉体８３が回動可能に軸支されている。本実施形態では開閉体８３は開放状態にて保持されており、屋内側通気口８２を通じた通気が常に行われている。
【００５２】
本実施形態の土間１２においては、溝部３９に水を流すことで土間１２やリビング１１の空調を行う空調システムが構築されている。ここで、空調システムに関する電気的な構成について、図５を参照しつつ説明する。
【００５３】
図５に示すように、空調システムは制御手段としてのホームサーバ８５を含んで構成されている。ホームサーバ８５は、ＣＰＵや各種メモリ等からなるマイクロコンピュータを含んで構成されており、人により操作される操作部８６と記憶部８７とを有している。操作部８６は操作ボタン等の入力部やディスプレイ等の表示部を有しており、人は表示部に表示された画面を見ながら入力部を操作することによりリビング１１の目標温度や目標湿度を適宜設定することができる。それら目標温度や目標湿度はリビング１１の空調に関する情報として記憶部８７に記憶される。
【００５４】
ホームサーバ８５には、リビング１１の温度を検出する屋内温度センサ９１と、リビング１１の湿度を検出する屋内湿度センサ９２と、屋外の温度を検出する外気温度センサ９３と、屋外の湿度を検出する外気湿度センサ９４と、屋外の風速を検出する風速計９５とが接続されており、これらセンサ９１〜９５は検出信号をホームサーバ８５に対して出力する。屋内温度センサ９１及び屋内湿度センサ９２は例えばリビング１１の壁面に設置されており、外気温度センサ９３、外気湿度センサ９４及び風速計９５は例えば外壁１４の屋外側面にそれぞれ設置されている。
【００５５】
また、ホームサーバ８５には、給水装置４２、浄化装置４４、送風装置５３、サッシ戸通気口ガラリ６５のサッシ用駆動部７５、及び外壁通気口ガラリ６６の外壁用駆動部７９が接続されており、ホームサーバ８５は指令信号を出力することでこれら装置４２，４４，５３や駆動部７５，７９の動作制御を行う。特に、給水装置４２について、溝部３９に供給する水量についての情報が記憶部８７に記憶されており、ホームサーバ８５はその水量情報に基づいて給水装置４２からの給水量を調整する。
【００５６】
次に、ホームサーバ８５によって実行される空調システムの制御処理について、図６のフローチャートを参照しつつ説明する。なお、ホームサーバ８５はこの制御処理を所定の時間周期で繰り返し行う。
【００５７】
図６において、ステップＳ１０１では、屋内温度センサ９１、屋内湿度センサ９２、外気温度センサ９３、外気湿度センサ９４、風速計９５の検出信号を取得する。ステップＳ１０２では、リビング１１の空調を行うか否かを判定する。この場合、目標温度や目標湿度を記憶部８７から取得するとともに、屋内温度センサ９１及び屋内湿度センサ９２の検出信号に基づいてリビング１１の実温度や実湿度を取得し、目標温度及び目標湿度と実温度及び実湿度とに差異があるか否かを判定する。いずれか一方でも差異がある場合、リビング１１の空調を行うとしてステップＳ１０３に進む。また、いずれも同じである場合、リビング１１の空調を行わないとしてそのまま本制御処理を終了する。
【００５８】
ステップＳ１０３では給水装置４２の動作制御を行う。ここで、実温度が目標温度より高い場合には給水装置４２から給水溝４１へ水を供給させ、溝部３９に水を流す。この場合、溝部３９を流れる水の気化熱により土間床面２８近傍の空気が冷やされる。また、実温度が目標温度より低い場合には、ヒータ部４９を駆動させて水を加熱し、給水装置４２から給水溝４１へ温かい湯を供給させ、溝部３９に湯を流す。この場合、溝部３９を流れる湯の熱気により土間床面２８近傍の空気が温められる。さらに、実湿度が目標湿度より低い場合には、その時の実温度に応じて溝部３９に水又は湯を流す。この場合、溝部３９を流れる水又は湯が気化することにより土間床面２８近傍の空気に湿気が加えられる。要するに、土間床面２８近傍の空気を温度調整したり湿度調整したりする。なお、溝部３９に湯を流した場合には、溝部３９に水を流した時に比べて湯の気化が促進され、加湿が効率良く行われる。
【００５９】
なお、給水装置４２の動作制御を行う場合、記憶部８７から水量情報を取得し、溝部３９から水や湯が溢れないように給水装置４２からの給水量を調整する。例えば、図１に示すように、溝部３９の容積の半分よりも少ない量の水が溝部３９内を流れるように給水量を調整する。つまり、水面が土間床面２８より所定高さだけ低くなるように給水量を調整する。また、流れる水の表面はその表面張力により湾曲底面に沿って湾曲しやすくなるため、湾曲しない場合に比べて水の表面積が大きくなり、水や湯の気化が促進される。
【００６０】
ステップＳ１０４では土間１２やリビング１１に外気を取り込むか否かを判定する。例えば、外気温度センサ９３の検出信号に基づいて外気の実温度を取得し、その実温度と目標温度との差異がリビング１１の実温度と目標温度との差異より小さい場合に外気を取り込むと判定する。これは、外気を取り込んだ方がリビング１１の温度調整を効率良く行うことができ、しかもリビング１１や土間１２の換気を行うこともできるためである。また、外気湿度センサ９４の検出信号に基づいて外気の実湿度を取得し、その実湿度が目標湿度及びリビング１１の実湿度の両者より低い場合に外気を取り込むと判定する。これは、溝部３９に水や湯を流すことではリビング１１の湿度を低下させることが困難であるからである。さらに、上記の判定により外気を取り込むと判定しても、風速計９５の検出信号に基づいて屋外の実風速を取得し、その実風速が所定風速以下である場合に外気の取り込み判定を許可する。これにより、土間１２やリビング１１に強風が吹き込むことを回避できる。
【００６１】
ステップＳ１０５では、サッシ戸通気口ガラリ６５のサッシ用駆動部７５や外壁通気口ガラリ６６の外壁用駆動部７９の動作制御を行う。具体的には、サッシ戸通気口ガラリ６５及び外壁通気口ガラリ６６のそれぞれのスラット７２を開状態に移行させることにより、サッシ戸通気口６１や外壁通気口６２から外気を土間１２内に取り込む。この場合、外気が土間床面２８近傍に流れ込むとともに、リビング１１や土間１２内の空気が屋内側通気口８２から他の建物内空間に流れ出ることにより、土間床面２８近傍に存在する温度調整されたり湿度調整されたりした空気が土間１２やリビング１１の空間全体に行き渡りやすくなる。その結果、土間１２やリビング１１全体に冷房効果や暖房効果、加湿効果が付与される。
【００６２】
ステップＳ１０６では土間床面２８に対して風を強制的に送るか否かを判定する。例えば、サッシ戸通気口ガラリ６５や外壁通気口ガラリ６６の各スラット７２を開状態に移行させたにもかかわらずリビング１１の実温度や実湿度が変化しない場合や、屋外が強風であるため前記各スラット７２を開状態に移行させることができない場合などに、送風を行うと判定する。送風を行うと判定した場合、ステップＳ１０７に進み、送風装置５３の動作制御を行う。この場合、送風装置５３から土間床面２８に向けて空気が吹き出されるため、土間床面２８近傍に存在する温度調整されたり湿度調整されたりした空気を強制的に土間１２やリビング１１の空間全体に行き渡らせることができる。
【００６３】
なお、サッシ戸通気口ガラリ６５や外壁通気口ガラリ６６がスラット７２の開度を調整可能な構成であれば、屋外の実風速に合わせてスラット７２の開度を調整してもよい。この場合、屋外の実風速が所定風速より大きくてもスラット７２の開度を小さくすることで、サッシ戸通気口６１や外壁通気口６２について、強風が吹き込まないように土間１２やリビング１１に外気を取り込むことが可能となる。また、風速計９５が風向きを検出する構成であれば、検出された風向きに合わせてサッシ戸通気口６１及び外壁通気口６２の一方から外気を取り込んでもよい。
【００６４】
以上詳述した本実施形態によれば、以下の優れた効果が得られる。
【００６５】
本空調システムにおいては、土間１２の溝部３９に水を流すことにより、リビング１１や土間１２の温度調整や湿度調整を行うことができる。この場合、エアコンによりリビング１１や土間１２の空調を行う構成に比べて、省エネルギ効果を得ることができる。また、この場合、打ち水の効果を土間１２において得ること可能であるため、屋外にて打ち水が行われている場合とは異なり、打ち水の効果を得る際に必ずしも外気を取り込む必要はない。したがって、本空調システムの利便性を向上させることができる。
【００６６】
送風装置５３による送風やサッシ戸通気口６１、外壁通気口６２からの外気の取り込みが行われることにより、土間床面２８近傍の空気がリビング１１や土間１２に行き渡りやすくなり、リビング１１や土間１２の空間全体を好適に空調することができる。また、この場合、溝部３９を流れる水や湯に風が当たることになるため、水や湯の気化量が増加し、土間床面２８近傍において空気の温度調整や湿度調整を効率良く行うことができる。この結果、リビング１１や土間１２の空調を効率良く行うことができる。
【００６７】
サッシ戸通気口ガラリ６５や外壁通気口ガラリ６６を開状態に移行させることにより、リビング１１や土間１２を対象として、温度調整や湿度調整だけでなく換気が行われる。この場合、建物内空間の空調と換気をまとめて行うことができる。
【００６８】
溝部３９が人の足の大きさに比べて十分に細くなっているため、土間床面２８を歩いている人の足が溝部３９に入り込んでしまうことを回避できる。また、溝部３９において水面は土間床面２８より所定高さだけ低くされているため、土間床面２８を乾燥状態にて保持することが可能となる。したがって、土間床面２８に乗っている人の足が濡れたり、土間床面２８に載せられた物品が濡れたりすることを回避できる。この結果、溝部３９に水が流れていても、人は溝部３９を跨ぐように歩いたり、溝部３９に載らないように物品を土間床面２８に置いたりする必要がなく、土間１２の使い勝手が悪くなることを回避できる。
【００６９】
居室空間としてのリビング１１に隣接している土間１２に溝部３９が設けられているため、人の滞在時間が長いリビング１１を好適に空調することができる。また、建物１０内への人の出入りに際して使われる頻度が玄関や勝手口に比べて低いため、玄関や勝手口といった土間に溝部３９が設けられている構成に比べて溝部３９に土やゴミ等の異物が入ってしまう可能性が低い。したがって、メンテナンス作業の容易化を図ることができる。しかも、靴等の履物が土間床面２８に置かれることが少ないため、履物が数多く置かれると考えられる玄関に比べて溝部３９の水が気化しやすくなり、空調を効率良く行うことができる。
【００７０】
溝部３９や給水溝４１、排出溝４３の底面を傾斜させることにより溝部３９を水が流れやすくなっているため、溝部３９に水が貯留される構成に比べて、土間１２を衛生的に保つことができる。これは、溝部３９において、水が流れている場合に比べて水が溜まっている場合の方が細菌等の繁殖が促進される可能性が高いためである。
【００７１】
以上の結果、溝部３９に流れる水の気化によりリビング１１や土間１２といった屋内空間の空調を好適に行うことができる。
【００７２】
（他の実施形態）
本発明は上記実施形態の記載内容に限定されず、例えば次のように実施してもよい。
【００７３】
（１）土間１２において、土間床面２８より上方に仮設床面が設けられる構成としてもよい。例えば、図７に示すように、仮設床部１０１が土間１２に取り外し可能に設置されている構成とする。仮設床部１０１は、水平方向に延びている床板１０２と、床板１０２を支持する脚部１０３とを有している。床板１０２は平面視略長方形状に形成されており、その上面により仮設床面１０５を形成している。床板１０２にはその床板１０２を上下方向に貫通するスリット１０７が複数形成されている。各スリット１０７は床板１０２の長手方向に延びており、床板１０２の短手方向に並んでいる。なお、床板１０２は「すのこ」により形成されていてもよい。
【００７４】
床板１０２はその短手方向の長さが土間１２の短手方向の長さと略同一になっており、その長手方向が土間１２の長手方向より短くなっている。つまり、床板１０２は土間床面２８を部分的に覆っている。なお、仮設床部１０１において、床板１０２は土間床面２８と同等の形状及び大きさに形成されていてもよい。つまり、床板１０２は土間床面２８全体を覆っていてもよい。
【００７５】
脚部１０３は、仮設床面１０５がリビング床面２５と同等の高さとなるよう床板１０２を支持しており、床板１０２の短手方向の両端部に配置され、床板１０２の長手方向に沿って延びている。
【００７６】
土間１２に仮設床部１０１が設置されている場合、人は土間１２における仮設床部１０１の設置部分をあたかもリビング１１の一部かのように使用することができる。つまり、あたかもリビング１１が広くなったかのような状態で土間１２を利用することができる。また、この場合、土間床面２８近傍の空気がスリット１０７を通じて仮設床面１０５の上方に流れ出すことにより、溝部３９の水によりリビング１１や土間１２の温度調整や湿度調整が行われる。土間１２の利便性を向上させつつ、溝部３９の水によりリビング１１や土間１２の空調を行うことができる。
【００７７】
また、土間床面２８より上方に仮設床面１０５を設ける構成としては、図８（ａ）に示すように、床板１０２が外壁１４の屋内側面に対して回動可能に軸支されている構成が挙げられる。この構成では、床板１０２の回動軸は土間１２の長手方向に沿って水平方向に延びており、床板１０２を水平状態及び鉛直状態にて保持するストッパが設けられている。床板１０２が水平状態にて保持されている場合、床板１０２の仮設床面１０５はリビング床面２５と同一平面上にある。一方、床板１０２が鉛直状態にて保持されている場合、床板１０２は外壁１４の屋内側面に沿って起立する状態で収納されている。したがって、人は床板１０２を単に回動させるだけという簡易な作業により仮設床面１０５の設置及び撤去を行うことができる。しかも、仮設床面１０５を撤去した場合に床板１０２を土間１２に収納できるため、床板１０２を土間１２から他の場所へ運ぶ必要がない。つまり、床部１０１の使い勝手を高めることができる。
【００７８】
さらに、土間床面２８より上方に仮設床面１０５を設ける構成としては、図８（ｂ）に示すように、床板１０２が水平方向にスライド移動するように設置され、スライド移動することで土間床面２８の上方に出没する構成が挙げられる。この構成では、リビング１１の床下に床板１０２が収納されており、床板１０２は土間１２側へスライド移動することにより土間床面２８の上方に出現する。この場合、土間１２に床板１０２の収納スペースを確保する必要がないため、仮設床面１０５を撤去した場合に土間１２全体を有効に使用することができる。ちなみに、この場合、仮設床面１０５はリビング床面２５よりも根太２１や床下地材２２、床仕上材２３（いずれも図示略）の分だけレベルが低くなっている。
【００７９】
なお、図７に示すように外壁１４に外壁通気口６２は設けられていなくてもよく、段差部３１に送風口５４は設けられていなくてもよい。また、図８に示すように、外壁１４に出入口３４は設けられていなくてもよい。
【００８０】
（２）溝部３９は屋外に設けられていてもよい。例えば、図９に示すように、コンクリート層２７が土間１２に加えて庭１５に形成されており、土間１２及び庭１５の両方においてコンクリート層２７に溝部３９が設けられている構成とする。この構成では、給水溝４１及び排出溝４３（図示略）が土間１２から庭１５まで延びるように形成されており、給水装置４２（図示略）からの給水が行われることで土間１２の溝部３９だけでなく庭１５の溝部３９にも水が流れる。この場合、庭１５において打ち水の効果を得ることができるため、出入口３４が開放されたりサッシ戸３５のサッシ戸通気口ガラリ６５が開状態に移行されたりすることで、庭１５の溝部３９を流れる水により温度調整や湿度調整された外気が土間１２に取り込まれる。これにより、リビング１１に隣接した土間１２だけに溝部３９が設けられている構成に比べて、溝部３９の水による空調を効率良く行うことができる。
【００８１】
なお、溝部３９は、玄関や勝手口といったリビング１１や庭１５に隣接しない土間に形成されていてもよい。
【００８２】
（３）溝部３９は直線状に形成されていなくてもよい。例えば、図１０（ａ）に示すように、溝部３９を土間１２の長手方向に延びるように蛇行させた構成とする。この場合、溝部３９が直線状に形成されている構成に比べて、溝部３９を長くすることが可能となるため、１つの溝部３９において水の表面積を大きくし、水の気化をより一層促進させることができる。つまり、建物内空間の空調を効率良く行うことができる。また、溝部３９はその幅が均一でなくてもよい。
【００８３】
（４）土間１２において土間床面２８は土間床面仕上材により形成されていてもよい。例えば、図１０（ｂ）に示すように、土間床面仕上材としてのタイル１１１がコンクリート層２７の上に複数設けられている構成とする。この構成では、隣り合うタイル１１１の間に隙間（目地）が形成されており、その隙間により溝部３９が形成されている。タイル１１１間の隙間は均一になっており、溝部３９は縦方向及び横方向に延びるように土間床面２８の全体に拡がっている。すなわち、溝部３９は格子状に形成されている。この場合、溝部３９が二方向に交差するように延びているため、溝部３９が一方向に延びるように形成されている構成に比べて、溝部３９を長くすることが可能となる。したがって、土間床面２８において溝部３９を流れる水の表面積を大きくし、水の気化をより一層促進させることができる。つまり、建物内空間の空調をより一層効率良く行うことができる。
【００８４】
また、図１０（ｃ）に示すように、タイル１１１間に形成された溝部３９に吸水性の高いスポンジ等の吸水材１１２が設けられていてもよい。この場合、給水装置４２から溝部３９への給水が行われていない時でも、吸水材１１２にて溝部３９内に水を保持することが可能となるため、溝部３９の水により建物内空間の空調を行うことができる。
【００８５】
さらに、図１０（ｄ）に示すように、タイル１１１は保水性の高い保水部としての保水層１１５の上に設けられていてもよい。この場合、溝部３９に吸水材１１２が設けられている構成と同様に、給水装置４２から溝部３９への給水が行われていない時でも、保水層１１５にて保持されている水により建物内の空調を行うことができる。なお、保水層１１５としては、保水性の高いコンクリート層や粘土層などが挙げられる。
【００８６】
（５）保水部としての溝部３９に水が貯留される構成としてもよい。例えば、給水装置４２は溝部３９への給水を行うとともに、浄化装置４４は循環用配管４６及び排水管４７への水の排出を行わずに、溝部３９において水が溢れない程度に貯留された時に給水装置４２からの給水を停止する。この場合、常に給水装置４２及び浄化装置４４を駆動させていなくても溝部３９の水により建物内空間の空調が行われるため、より一層の省エネルギ化を図ることができる。
【００８７】
（６）溝部３９が横断面において土間床面２８から下方へ弓状に湾曲するように凹んでいなくてもよい。例えば、図１１（ａ）に示すように、溝部３９は横断面において土間床面２８から下方へ向けて連続的に溝幅が小さくなるように凹んでいる構成とする。つまり、溝部３９が横断面において略Ｖ字状に凹んでいる構成とする。この構成では、溝部３９を流れる水量によって水面の大きさが変化する。具体的には、溝部３９における水深がＨ１になっている場合の水面の大きさは、水深がＨ１のほぼ２倍であるＨ２になっている場合の水面の大きさに比べてほぼ半分となる。ここで、溝部３９を流れる水量が増加すると水の気化量が増加するため、給水装置４２からの給水量を調整することにより建物内空間の温度や湿度をきめ細かく調整することができる。
【００８８】
また、図１１（ｂ）に示すように、溝部３９は横断面において略矩形状に下方へ凹んでいる構成とする。この構成では、仮に水深がＨ２からＨ１に変化しても、水面の大きさが変化しないため、水の気化量を一定に保つことが可能となる。したがって、この溝部３９の形状は、溝部３９に水を貯留することにより建物内空間の空調を行う構成に適用されることが好ましい。これは、溝部３９における水の貯留量が気化などにより減少しても一定の空調能力を発揮できるためである。
【００８９】
（７）保水部は、溝部３９のように水が存在する全ての領域が上方へ開放されているのではなく、水が存在する領域が部分的に上方へ開放されている構成でもよい。例えば、土間１２に保水部としての配管や水タンクが埋設されており、それら埋設配管や埋設タンクの内部空間が開口部を介して上方（土間空間側）へ開放されている構成とする。この場合でも、埋設配管や埋設タンクに存在する水が気化することで土間床面２８近傍の空気が温度調整されたり湿度調整されたりするため、建物内空間の空調を行うことができる。
【００９０】
（８）溝部３９に生活排水が供給されてもよい。例えば、エアコンのドレン配管が浄化装置４４に接続されており、浄化装置４４にドレン排水が供給される構成とする。この構成によれば、エアコンからのドレン排水が有効に利用されることになり、節水を実現することができる。生活排水と同様に、溝部３９に雨水や生活排水が供給されてもよい。
【００９１】
（９）給水装置４２にて水を加熱する構成でなくてもよい。例えば、水を貯留することが可能であるとともに太陽光により貯留水が加熱される太陽光温水装置が設けられており、太陽光温水装置にて加熱された水が湯として給水装置４２に供給される構成とする。この構成では、太陽光温水装置において建物１０の屋根に受光パネルが設置されており、受光パネルには伝熱性の高い伝熱配管が内蔵されている。この場合、受光パネルに太陽光が照射されることにより伝熱配管内の水が加熱され、給水装置４２のヒータ部４９を駆動させなくても溝部３９に湯を供給することが可能となっている。したがって、建物内空間を暖房や加湿を行うに際して省エネルギ効果をより一層高めることができる。また、生活排水のうちキッチンや風呂から排出された湯が、浄化装置４４により浄化された後に溝部３９に供給される構成としてもよい。
【００９２】
また、溝部３９を流れる水を加熱するヒータ装置が土間１２に埋め込まれていてもよい。この場合、溝部３９に存在する湯により、建物内空間の暖房や加湿を効率良く行うことができる。
【００９３】
（１０）リビング１１や土間１２へ外気を取り込むことが可能な通気路は、屋内空間と屋外空間とを連通する通気ダクトにより形成されていてもよい。この場合、屋内空間における通気ダクトの端部の位置を任意に設定することにより、外気が流れ込む位置を調整することができる。これにより、土間床面２８近傍の空気をより一層屋内空間の全体に行き渡らせやすくなる。
【００９４】
（１１）リビング１１や土間１２に空調装置として例えばエアコンが設けられていてもよい。この場合でも、エアコンの運転に加えて溝部３９に水を供給することにより、エアコンだけにより空調を行う場合に比べて省エネルギ化を図ることができる。
【００９５】
（１２）送風装置５３はリビング１１や土間１２において空気の対流が発生する方向や場所に向けて空気を送り出すように設置されていてもよい。この場合でも、空気の対流により土間床面２８近傍の空気がリビング１１や土間１２に行き渡りやすくなるため、リビング１１や土間１２の空間全体を好適に空調することができる。また、サッシ戸通気口ガラリ６５や外壁通気口ガラリ６６から流れ込んだ外気により空気の対流が発生するように、それら通気口ガラリ６５，６６が開状態にある場合にそれぞれの各スラット７２が土間１２側への上り傾斜となる構成としてもよい。さらに、土間床面２８近傍の空気を屋外や他の建物内空間に排出する排出装置が設けられていてもよい。
【００９６】
（１３）人がいることを検知する人検知手段としての人感センサが屋内空間としての土間１２やリビング１１に設けられていてもよい。この場合、例えば、人感センサがホームサーバ８５と電気的に接続されており、ホームサーバ８５は、リビング１１や土間１２にて人が検知されない場合に送風装置５３を動作させ、リビング１１や土間１２にて人が検知された場合に送風装置５３の動作を停止させる構成とする。この構成によれば、屋内空間を全体的に空調しつつ、風が当たることによる不快感を居住者に与えてしまうことを回避できる。
【００９７】
（１４）空調システムにおいて、土間床面２８の温度を検出する床面温度センサが設けられていてもよい。この構成では、床面温度センサはホームサーバ８５に電気的に接続されており、ホームサーバ８５は床面温度センサの検出結果に基づいて空調システムの制御処理を行う。この場合、土間床面２８の温度に合わせて給水装置４２等の動作制御が行割れるため、建物内空間の空調に際して正確性を高めることができる。
【００９８】
（１５）土間１２は、コンクリート層２７ではなく石材やレンガなどにより形成されていてもよい。また、比較的粒度の大きい砂利等の細骨材が樹脂接着剤等により固結された「おこし」状の細骨層により形成されていてもよい。細骨層においては、水が土間床面２８よりも下方にて細骨材の間の隙間を流れ、しかもその隙間は上方に開放されているため、溝部３９が形成されていなくても細骨層に水が供給されることでその水により建物内空間の空調を行うことができる。
【図面の簡単な説明】
【００９９】
【図１】本実施形態における土間周辺の構成を示す斜視図。
【図２】土間の構成を示す概略平面図。
【図３】サッシ戸の構成を示す正面図。
【図４】サッシ戸の概略断面図。
【図５】空調システムに関する電気的な構成を示すブロック図。
【図６】空調システムの制御処理を示すフローチャート。
【図７】別の土間周辺の構成を示す斜視図。
【図８】別の土間周辺の構成を示す斜視図。
【図９】別の土間周辺の構成を示す斜視図。
【図１０】溝部の別例を示す斜視図。
【図１１】溝部の別例を示す斜視図。
【符号の説明】
【０１００】
１０…建物、１１…屋内空間としてのリビング、１２…土間及び屋内空間としての土間、１５…屋外空間としての庭、２８…土間床面、３９…保水部としての溝部、４２…給水装置、４９…加熱装置としてのヒータ部、５３…送風装置、６１…通気路としてのサッシ戸通気口、６２…通気路としての外壁通気口、６５…開閉装置としてのサッシ戸通気口ガラリ、６６…開閉装置としての外壁通気口ガラリ、８５…制御手段としてのホームサーバ、１１５…保水部としての保水層。
【図１】
2010138594.tif 000003
【図２】
2010138594.tif 000004
【図３】
2010138594.tif 000005
【図４】
2010138594.tif 000006
【図５】
2010138594.tif 000007
【図６】
2010138594.tif 000008
【図７】
2010138594.tif 000009
【図８】
2010138594.tif 000010
【図９】
2010138594.tif 000011
【図１０】
2010138594.tif 000012
【図１１】
2010138594.tif 000013